(57)【要約】【課題】折り返し片を半開きの拡開状態に保持する動作を繰り返しても、その保持手段を傷めることなく長く使用することができる、ファイルを提供する。【解決手段】このファイル１０は、第１の表版１４ａと第２の表版１４ｂが適宜な幅を有して並列され、折り曲げ部１６を介して連設され、第１の表版１４ａと第２の表版１４ｂの前記折り曲げ部１６と直交する端縁に折り返し部２４を介して折り返し片２６ａ，２６ｂが連設されるとともに、前記折り曲げ部１６と平行な第１の表版１４ａと第２の表版１４ｂの前記折り曲げ部１６と平行な端縁に開閉部３６ａ，３６ｂを介して拡開片３８ａ，３８ｂが連設されたファイルであって、折り返し片２６ａ，２６ｂを半開きの拡開状態に保持する凸起４６が、拡開片３８ａ，３８ｂの折り返し片２６ａ，２６ｂに対向する面に設けられ、半開きの拡開状態の折り返し片２６ａ，２６ｂの拡開片側端縁近傍が半開きの拡開状態の拡開片３８ａ，３８ｂに設けられた凸起４６に係止されるように構成されたものである。【選択図】　　　図１
2004042290.tif 000002
【特許請求の範囲】
【請求項１】
第１の表版と第２の表版が適宜な幅を有して並列され、折り曲げ部を介して連設され、第１の表版と第２の表版の前記折り曲げ部と直交する端縁に折り返し部を介して折り返し片が連設されるとともに、前記折り曲げ部と平行な第１の表版と第２の表版の前記折り曲げ部と平行な端縁に開閉部を介して拡開片が連設されたファイルであって、
折り返し片を半開きの拡開状態に保持する凸起が、拡開片の折り返し片に対向する面に設けられ、半開きの拡開状態の折り返し片の拡開片側端縁近傍が半開きの拡開状態の拡開片に設けられた凸起に係止されるように構成されたファイル。
【請求項２】
前記凸起は、半球状のゴム片からなる、請求項１に記載のファイル。
【請求項３】
前記折り返し片および拡開片が第１の表版および第２の表版の内表面に折り畳まれたとき、前記凸起が折り返し片に当たる位置に前記凸起が嵌挿する貫通孔が突設され、
前記折り返し片が第１の表版および第２の表版の内側表面側に対向するように折り畳まれ、且つ前記拡開片が第１の表版および第２の表版の内側表面側に対向するように折り畳まれ、折り返し片の表面に重ね合わされたとき、前記凸起が折り返し片に形成された貫通孔より第１の表版および第２の表版の内側表面側に突出するように構成された、請求項１または請求項２に記載のファイル。
【発明の詳細な説明】
【０００１】
【発明の属する技術分野】
この発明は、ファイルに関し、特にたとえば図面等のような比較的大きな用紙等に折り目をつけずに収納保管することができる、ファイルに関する。
【０００２】
【従来の技術】
従来、このような図面用ファイルとして、たとえば実用新案登録第２５８３８２５号に示された図面用ファイルがある。
この図面用ファイルにおいては、表紙本体から延設される折り返し片を半開きの拡開状態に保持させるための保持手段が形成される。そして、保持手段は、表紙本体の左右および上下の端縁部にそれぞれ折線を介して左右および上下の折り返し片を両端部で交差し、折り重ね可能に延設して図面収容部を形成しており、該左右の折り返し片の両端部のそれぞれ端縁部に湾曲状の係合突起体をそれぞれ設けるとともに、上下の折り返し片の両端部のそれぞれ端縁部近傍に長円形の係合開口孔をそれぞれ設け、係合突起を前記開口孔に係着することにより、各折り返し片を半開きの拡開状態に保持するように構成している。
【０００３】
【発明が解決しようとする課題】
ところが、この図面用ファイルにおいては、各折り返し片を半開きの拡開状態に保持する保持手段が、開口孔に係着する係合突起体により構成され、係合突起体を開口孔に係着することにより、半開き拡開状態を保持するように構成されているので、狭い開口孔に係合突起体を係着する動作を繰り返し行うと、係合突起体の先端部が傷み、長円係合開口孔に入らなくなることがある。
【０００４】
それゆえに、この発明の主たる目的は、折り返し片を半開きの拡開状態に保持する動作を繰り返しても、その保持手段を傷めることなく長く使用することができる、ファイルを提供することにある。
【０００５】
【課題を解決するための手段】
この発明の請求項１に記載のファイルは、第１の表版と第２の表版が適宜な幅を有して並列され、折り曲げ部を介して連設され、第１の表版と第２の表版の前記折り曲げ部と直交する端縁に折り返し部を介して折り返し片が連設されるとともに、前記折り曲げ部と平行な第１の表版と第２の表版の前記折り曲げ部と平行な端縁に開閉部を介して拡開片が連設されたファイルであって、折り返し片を半開きの拡開状態に保持する凸起が、拡開片の折り返し片に対向する面に設けられ、半開きの拡開状態の折り返し片の拡開片側端縁近傍が半開きの拡開状態の拡開片に設けられた凸起に係止されるように構成されたファイルである。
この発明の請求項２に記載のファイルは、前記凸起は、半球状のゴム片からなる、請求項１に記載のファイルである。
この発明の請求項３に記載のファイルは、前記折り返し片および拡開片が第１の表版および第２の表版の内表面に折り畳まれたとき、前記凸起が折り返し片に当たる位置に前記凸起が嵌挿する貫通孔が突設され、前記折り返し片が第１の表版および第２の表版の内側表面側に対向するように折り畳まれ、且つ前記拡開片が第１の表版および第２の表版の内側表面側に対向するように折り畳まれ、折り返し片の表面に重ね合わされたとき、前記凸起が折り返し片に形成された貫通孔より第１の表版および第２の表版の内側表面側に突出するように構成された、請求項１または請求項２に記載のファイルである。
【０００６】
［作用］
この発明によれば、第１の表版と第２の表版が適宜な幅を有して並列され、折り曲げ部を介して連設され、第１の表版と第２の表版の折り曲げ部と直交する端縁に折り返し部を介して折り返し片が連設されるとともに、折り曲げ部と平行な第１の表版と第２の表版の折り曲げ部と平行な端縁に開閉部を介して拡開片が連設されたファイルであって、折り返し片を半開きの拡開状態に保持する凸起が、拡開片の折り返し片に対向する面に設けられ、半開きの拡開状態の折り返し片の拡開片側端縁近傍が半開きの拡開状態の拡開片に設けられた凸起に係止されるように構成されているので、折り返し片の端縁を拡開片に設けられた凸起に係止させることにより、半開きの拡開状態を保持することができる。
さらに、この発明によれば、凸起は、半球状のゴム片からなるので、比較的折り返し片の端縁を凸起に係合した後には、ずれたりすることなく、半開きの拡開状態を保持する。
さらに、この発明によれば、折り返し片および拡開片が第１の表版および第２の表版の内表面に折り畳まれたとき、凸起が折り返し片に当たる位置に凸起が嵌挿する貫通孔が突設され、折り返し片が第１の表版および第２の表版の内側表面側に対向するように折り畳まれ、且つ拡開片が第１の表版および第２の表版の内側表面側に対向するように折り畳まれ、折り返し片の表面に重ね合わされたとき、凸起が折り返し片に形成された貫通孔より第１の表版および第２の表版の内側表面側に突出するように構成されているので、第１の表版および第２の表版の内側表面に収容された図面等の用紙を第１の表版および第２の表版の内側表面側に突出した凸起によって押圧しその移動を抑止する。
【０００７】
この発明の上述の目的，その他の目的，特徴および利点は、図面を参照して行う以下の発明の実施の形態の詳細な説明から一層明らかとなろう。
【０００８】
【発明の実施の形態】
図１は、この発明の一実施の形態である図面用ファイルの展開した状態における平面図である。
図２は、図１図示図面用ファイルの閉じた状態における平面図解図である。
図３は、図１図示図面用ファイルの半開き状態における斜視図解図である。
図４は、図１図示図面用ファイルを二つ折りにした状態を示す斜視図解図である。
図５は、図１図示図面用ファイルの折り込み部を示す平面図解図である。
図６は、図１図示図面用ファイルの折り込み部近傍を示す斜視図解図である。
図７は、図１図示図面用ファイルの折り込み部の断面図解図である。
図８は、図１図示図面用ファイルの半開き状態を維持する方法を示す図解図である。
【０００９】
この図面用ファイル１０は、合成樹脂シートで一体成形されており、折り曲げ可能な平面方形の表紙体１２を備える。
表紙体１２は、左右一対の第１の表版１４ａと第２の表版１４ｂを適宜な幅を有して並列して折り曲げ可能に連設してなり、折り曲げ部１６をもって分割される。
折り曲げ部１６は、表紙体１２の上端縁から下端縁にかけて連続して形成された左右一対の折り曲げ線１８ａ，１８ｂと、折り曲げ線１８ａおよび折り曲げ線１８ｂによって囲繞された平面長方形の離隔片２０とを有する。
而して、折り曲げ部１６を介して連設された表紙体１２は、離隔片２０を底部として、折り曲げ線１８ａと折り曲げ線１８ｂを谷折りすることによって二つ折りにすることができ、第１の表版１４ａと第２の表版１４ｂを重ね合わせることができる。
【００１０】
表紙体１２の上下端縁（折り曲げ線１８ａ，１８ｂと直交する端縁）には、その右端から左端にわたって連続して平面略方形の折り返し体２２が延設されている。
折り返し体２２は、表紙体１２の上下端縁に形成された折り返し部２４を介して、表紙体１２の上端縁側に形成された平面略方形の第１の折り返し片２６ａと表紙体１２の下端縁側に形成された平面略方形の第２の折り返し片２６ｂとを有し、折り返し部２４によって、第１の折り返し片２６ａおよび第２の折り返し片２６ｂが表紙体１２の内側表面（このファイルに収容する図面等が載置される面）に向けて折り返すことができるように構成されている。
【００１１】
表紙体１２の上端縁に形成された折り返し部２４は、第１の折り返し片２６ａ側に形成され、表紙体１２の上端縁の折線２８ａと、第１の折り返し片２６ａの下端近傍に形成された折り返し片の折線３０ａと、前記上端縁の折線２８ａと折り返し片の折線３０ａとの間に形成されたまち片３２ａとを備える。表紙体１２の下端縁に形成された折り返し部２４は、第２の折り返し片２６ｂ側に形成され、表紙体１２の下端縁の折線２８ｂと、第２の折り返し片２６ｂに形成された折り返し片の折線３０ｂと、前記下端縁の折線２８ｂと折り返し片の折線３０ｂとの間に形成されたまち片３２ｂとを備える。
折り返し片の折線３０ａおよび折り返し片の折線３０ｂは、第１の折り返し片２６ａおよび第２の折り返し片２６ｂの左端縁から右端縁にわたって連続（但し、折り曲げ部１６の折り曲げ線１８ａと折り曲げ線１８ｂとの間は不連続）して形成され、折り返し片の折線３０ａは上端縁の折線２８ａと、折り返し片の折線３０ｂは下端縁の折線２８ｂと、平行に連続して形成されている。
【００１２】
表紙体１２の左端縁および右端縁には、平面方形の開閉体３４が表紙体１２の上端から下端にわたって連続して形成されている。
開閉体３４は、表紙体１２の左端に形成された第１の開閉部３６ａと、表紙体１２の右端に形成された第２の開閉部３６ｂとを備え、第１の折り返し片２６ａおよび第２の折り返し片２６ｂを半開きの拡開状態にするとき、第１の開閉部３６ａ側の開閉体３４が第１の折り返し片２６ａおよび第２の折り返し片２６ｂの左端を保持するとともに、第２の開閉部３６ｂ側の開閉体３４が第１の折り返し片２６ａおよび第２の折り返し片２６ｂの右端を保持するように構成されている。
【００１３】
開閉体３４は、第１の開閉部３６ａを介して、第１の表版１４ａの左端に連設された第１の拡開片３８ａと、第２の開閉部３６ｂを介して、第２の表版１４ｂの右端に連設された第２の拡開片３８ｂとを備えている。
第１の拡開片３８ａおよび第２の拡開片３８ｂは、同一形状であり、表紙体１２の上端および下端の全域にわたって連続して形成された平面略方形で、第１の折り返し片２６ａおよび第２の折り返し片２６ｂとは分離されており、第１の折り返し片２６ａおよび第２の折り返し片２６ｂの間に懸架されるように構成されている。
【００１４】
第１の開閉部３６ａは、第１の表版１４ａの左端縁において、前記折り曲げ部１６を構成する折り曲げ線１８ａと平行に第１の表版１４ａの上端から下端にわたって連続して形成された左端縁の折線４０ａと、前記左端縁の折線４０ａに平行に第１の拡開片３８ａの上端から下端にわたって連続して形成された第１の拡開片３８ａの折線４２ａと、前記左端縁の折線４０ａと第２の拡開片３８ｂの折線４２ｂとの間に形成された長方形状のまち片４４ａとを備える。
また、第２の開閉部３６ｂは、第２の表版１４ｂの右端縁において、前記折り曲げ部１６を構成する折り曲げ線１８ｂと平行に表紙体１２の上端から下端にわたって連続して形成された右端縁の折線４０ｂと、前記右端縁の折線４０ｂに平行に第２の拡開片３８ｂの上端から下端にわたって連続して形成された第２の拡開片３８ｂの折線４２ｂと、前記右端縁の折線４０ｂと第２の拡開片３８ｂの折線４２ｂとの間に形成された長方形状のまち片４４ｂとを備える。
【００１５】
第１の拡開片３８ａの左端の上隅部および下隅部には、半球状のゴム片からなる第１の凸起４６ａおよび第２の凸起４６ｂが付着されている。
この第１の凸起４６ａは、第１の拡開片３８ａの内側表面であって第１の折り返し片２６ａ側の上端縁近傍に突設され、また第２の凸起４６ｂは、第１の拡開片３８ａの内側表面であって第２の折り返し片２６ｂ側の下端縁近傍に突設されている。
一方、第２の拡開片３８ｂの左端の上隅部および下隅部には、半球状のゴム片からなる第３の凸起４８ａおよび第４の凸起４８ｂが付着されている。
この第３の凸起４８ａは、第２の拡開片３８ｂの内側表面であって第１の折り返し片２６ａ側の上端縁近傍に突設され、第４の凸起４８ｂは、第２の拡開片３８ｂの内側表面であって第２の折り返し片２６ｂ側の下端縁近傍に突設されている。
【００１６】
一方、第１の折り返し片２６ａと第２の折り返し片２６ｂとが表紙体１２の内側表面側に折り返され、第１の拡開片３８ａおよび第２の拡開片３８ｂとが、前記内側に折り返された第１の折り返し片２６ａと第２の折り返し片２６ｂの外表面に重ね合わされたとき、前記第１の凸起４６ａ，第２の凸起４６ｂ，第３の凸起４８ａおよび第４の凸起４８ｂが、第１の折り返し片２６ａと第２の折り返し片２６ｂに当接する部位に、該第１の凸起４６ａ，第２の凸起４６ｂ，第３の凸起４８ａおよび第４の凸起４８ｂが嵌挿されるように、貫通孔５０が、第１の折り返し片２６ａに左右に分かれて二箇所および第２の折り返し片２６ｂに左右に分かれて二箇所穿設されている。
【００１７】
前記第１の凸起４６ａに対応する第１の貫通孔５０ａは、第１の折り返し片２６ａの左端近傍に設けられ、第２の凸起４６ｂに対応する第２の貫通孔５０ｂは、第２の折り返し片２６ｂの左端近傍に設けられている。
また、第３の凸起４８ａに対応する第３の貫通孔５２ａは、第１の折り返し片２６ａの右端近傍に設けられ、第４の凸起４８ｂに対応する第４の貫通孔５２ｂは、第２の折り返し片２６ｂの右端近傍に設けられている。
したがって、表紙体１２の内側表面側に折り返された第１の折り返し片２６ａおよび第２の折り返し片２６ｂの外表面に向けて第１の拡開片３８ａが折り返されたとき、表紙体１２の内側表面に向けて折り返された第１の拡開片３８ａの内側表面に設けられた第１の凸起４６ａおよび第２の凸起４６ｂは、第１の折り返し片２６ａに穿設された第１の貫通孔５０ａおよび第２の貫通孔５０ｂの中に嵌挿される。
また、表紙体１２の内側表面側に折り返された第１の折り返し片２６ａおよび第２の折り返し片２６ｂの外表面に向けて第２の拡開片３８ｂが折り返されたとき、表紙体１２の内側表面に向けて折り返された第２の拡開片３８ｂの内側表面に設けられた第３の凸起４８ａおよび第４の凸起４８ｂは、第１の折り返し片２６ａの第３の貫通孔５２ａおよび第２の折り返し片２６ｂの第４の貫通孔５２ｂの中に嵌挿される。
したがって、第１の折り返し片２６ａの貫通孔５０ａ，５２ａよりつき出た突起４６ａ，４８ａおよび第２の折り返し片２６ｂの貫通孔５０ｂ，５２ｂより突き出た突起４６ｂ，４８ｂは、表紙体１２の内側に収容された図面等を表紙体１２の内側表面側に向けて押圧して、図面等の移動を抑止する。
【００１８】
また、第１の折り返し片２６ａおよび第２の折り返し片２６ｂと第１の拡開片３８ａと第２の拡開片３８ｂとを半開きの拡開状態にしたとき、その状態を保持して、折り曲げ部１６を挟んで第１の表版１４ａおよび第２の表版１４ｂの内側表面に図面等を収容したり、収容された図面等を取り出したりすることが容易にできるように、前記突起４６が第１の折り返し片２６ａの左右両端縁および第２の折り返し片２６ｂの左右両端縁を係止して、第１の折り返し片２６ａと第２の折り返し片２６ｂのいずれもが、半開きの拡開状態を保持することができるように構成されている。
すなわち、第１の折り返し片２６ａおよび第２の折り返し片２６ｂと第１の拡開片３８ａおよび第２の拡開片３８ｂとを半開き状態にしたとき、第１の拡開片３８ａの第１の凸起４６ａは、第１の折り返し片２６ａの左端縁を、第１の拡開片３８ａの第２の凸起４６ｂは、第２の折り返し片２６ｂの左端縁を、第２の拡開片３８ｂの第３の凸起４８ａは、第１の折り返し片２６ａの右端縁を、第２の拡開片３８ｂの第４の凸起４８ｂは、第２の折り返し片２６ｂの右端縁をそれぞれ係止する。
【００１９】
適宜な幅を有して並列された第１の表版１４ａと第２の表版１４ｂとが折り曲げ部１６を介して連設され、且つ、前記折り曲げ部１６と直交する第１の表版１４ａと第２の表版１４ｂの上端縁および下端縁に折り返し部２４を介して第１の折り返し片２６ａと第２の折り返し片２６ｂとが連設されており、その折り曲げ部１６に続いて、第１の折り返し片２６ａと第２の折り返し片２６ｂの表紙体１２側近傍において、略Ｔ字型の折り曲げ用孔５４が穿設されている。
すなわち、第１の折り返し片２６ａの折り曲げ部１６近傍には、略Ｔ字型の第１の折り曲げ用孔５６ａが穿設され、第２の折り返し片２６ｂの折り曲げ部１６近傍には、略逆Ｔ字型の第２の折り曲げ用孔５６ｂが穿設されている。
そして、第１の折り曲げ用孔５６ａと第２の折り曲げ用孔５６ｂのいずれもが、折り曲げ部１６を構成する折り曲げ線１８ａと折り曲げ線１８ｂとの間隔よりも広い幅を有しており、折り返し片の折線３０ａおよび折り返し片の折線３０ｂがこの部分において不連続となり且つ折り返し部２４を構成するまち片３２ａおよびまち片３２ｂが存在せず、第１の折り曲げ用孔５６ａは、上端縁の折線２８ａに至るまで貫通され、また第２の折り曲げ用孔５６ｂは、下端縁の折線２８ｂに至るまで貫通されている。
したがって、この折り曲げ用孔５４によって、表紙体１２を折り曲げ部１６において折り曲げるとき、第１の折り返し片２６ａおよび第２の折り返し片２６ｂが二つ折りに折り畳むことができる。
【００２０】
第１の折り返し片２６ａおよび第２の折り返し片２６ｂは、表紙体１２の内側表面側（すなわち、収容される図面等の収容面側）に折り返したとき、第１の折り返し片２６ａおよび第２の折り返し片２６ｂのいずれもが、その中央において二つ折りに折り畳むための折り込み部６０が形成されている。
折り込み部６０は、第１の折り返し片２６ａおよび第２の折り返し片２６ｂを、表紙体１２の内側表面に向けて折り畳んだとき、表紙体１２の内側表面より離れるに従って盛り上がる山型に折れ曲がるように形成されている。
折り込み部６０は、折り曲げ用孔５４の端縁より第１の折り返し片２６ａおよび第２の折り返し片２６ｂのそれぞれの端縁に向けて（折り曲げ部１６を構成する折り曲げ線１８ａおよび折り曲げ線１８ｂとほぼ近似した方向に向けて）連続して設けられた一対の第１のヒンジ部６２ａおよび第１のヒンジ部６２ｂと、第１のヒンジ部６２ａと第１のヒンジ部６２ｂとの間において、折り曲げ用孔５４の端縁より第１の折り返し片２６ａの上端縁あるいは第２の折り返し片２６ｂの下端縁に向けて連続して形成された第２のヒンジ部６４ａおよび第２のヒンジ部６４ｂとを備える。第１のヒンジ部６２ａおよび第１のヒンジ部６２ｂは、その中間にスリットが穿設されている。
【００２１】
第１の折り返し片２６ａに形成された折り込み部６０は、第１の折り曲げ用孔５６ａの上端縁より第１の折り返し片２６ａの上端にわたって、折り曲げ部１６を構成する折り曲げ線１８ａおよび折り曲げ線１８ｂの延びる方向とほぼ近似した方向に向けて（すなわち、第１の折り返し片２６ａの上端に向けて）、第１のヒンジ部６２ａと第１のヒンジ部６２ｂとが連続して形成されてなる。そして、第１のヒンジ部６２ａと第１のヒンジ部６２ｂとの間の間隔は、第１の折り曲げ用孔５６ａより第１の折り返し片２６ａの上端に向けて離れるに従ってややその間隔を拡げるように形成されている。したがって、折り込み部６０の先端（内側）の方が高く盛り上がり、図面等を収容し易くしている。
第２のヒンジ部６４ａは、前記第１のヒンジ部６２ａと第１のヒンジ部６２ｂとの間であってほぼ同一の間隔をおいた中間において、折り曲げ部１６を構成する折り曲げ線１８ａおよび折り曲げ線１８ｂの延びる方向とほぼ同一方向に直線上に連続して形成され、第１の折り曲げ用孔５６ａの上端縁より第１の折り返し片２６ａの上端縁にわたって連続して形成されている。第２のヒンジ部６４ａと第１のヒンジ部６２ａとの間と、第２のヒンジ部６４ａと第１のヒンジ部６２ｂとの間とを、ほぼ同一の間隔を保って延設されている。
【００２２】
また、第２の折り返し片２６ｂに形成された折り込み部６０は、前記第１の折り返し片２６ａに形成された折り込み部６０と同一形状で点対称に形成されている。
すなわち、第２の折り返し片２６ｂに形成された折り込み部６０は、第２の折り曲げ用孔５６ｂの下端縁より第２の折り返し片２６ｂの下端縁にわたって、折り曲げ部１６を構成する折り曲げ線１８ａおよび折り曲げ線１８ｂの延びる方向とほぼ近似した方向に向けて（すなわち、第２の折り返し片２６ｂの下端に向けて）、第１のヒンジ部６２ａと第１のヒンジ部６２ｂとが連続して形成されてなる。そして、第１のヒンジ部６２ａと第１のヒンジ部６２ｂとの間隔は、第２の折り曲げ用孔５６ｂより第２の折り返し片２６ｂの下端縁に向けて離れるに従って、ややその間隔を拡げるように形成されている。したがって、折り込み部６０の先端（内側）の方が高く盛り上がり、図面等を収容し易くしている。
そして、第２のヒンジ部６４ｂは、第１のヒンジ部６２ａと第１のヒンジ部６２ｂとの間であってほぼ同一の間隔をおいた中間において、第２の折り曲げ用孔５６ｂの下端中央より第２の折り返し片２６ｂの下端縁にわたって、折り曲げ部１６を構成する折り曲げ線１８ａおよび折り曲げ線１８ｂの延びる方向とほぼ同一方向に直線状に連続して形成されている。第２のヒンジ部６４ｂと第１のヒンジ部６２ａとの間と、第２のヒンジ部６４ｂと第１のヒンジ部６２ｂとの間とを、ほぼ同一の間隔を保って延設されている。
【００２３】
第１の折り返し片２６ａおよび第２の折り返し片２６ｂの折り込み部６０はいずれもが、それを構成する一対の第１のヒンジ部６２ａと第１のヒンジ部６２ｂとにおいて谷側に折れ曲がり、第１のヒンジ部６２ａおよび第１のヒンジ部６２ｂより第１のヒンジ部６２ａと第１のヒンジ部６２ｂとの間に形成された第２のヒンジ部６４ａ，６４ｂに向けて、山型に盛り上がるように形成されている。すなわち、第１の表版１４ａおよび第２の表版１４ｂの内側面より離れる方向に向けて山型に折り曲げるための第２のヒンジ部６４ａ，６４ｂが形成され、前記第１のヒンジ部６２ａと第２のヒンジ部６４ａ，６４ｂとの間の面および第１のヒンジ部６２ｂと第２のヒンジ部６４ａ，６４ｂとの間の面が、山型に折れ曲がったときに第１の折り返し片２６ａの外側表面（折り返したときの上面）および第２の折り返し片２６ｂの外側表面（折り返したときの上面）と接合するように構成されている。
そして、このように常に第２のヒンジ部６４ａ，６４ｂが、第１の表版１４ａおよび第２の表版１４ｂの内側面より離れる方向に向けて山型に折り曲げられるようにするために、第２のヒンジ部６４ａ，６４ｂを挟んで折り込み部６０の谷側、すなわち第１の表版１４ａおよび第２の表版１４ｂ側に向けて凹み、折り込み部６０が逆に折れ曲がることを抑止するように、略扇型の抑止部６６が形成されている。
【００２４】
抑止部６６は、折り込み部６０を構成するシートが第２のヒンジ部６４ａ，６４ｂを挟んで第２のヒンジ部６４ａ，６４ｂと交差する方向において切断されてなる一対の円弧状の離隔部６８ａおよび円弧状の離隔部６８ｂが形成され、折り込み部６０と離隔されるように形成されている。
そして、この抑止部６６は、前記一対の円弧状の離隔部６８ａおよび円弧状の離隔部６８ｂの間にわたって、筋状の第３のヒンジ部７０が形成されている。
抑止部６６は、外側（表紙体１２より離れた方）の円弧状の離隔部６８ａより内側（表紙体１２に近い方）の円弧状の離隔部６８ｂの方が短く、その間に形成された第３のヒンジ部７０は、複数条（この実施の形態では５条）形成され、複数条の第３のヒンジ部７０間の間隔は円弧状の離隔部６８ａ側より円弧状の離隔部６８ｂ側に向かうに従って拡がる放射状に形成されている。
したがって、折り込み部６０は、抑止部６６の作用によって、外側（折り返し体２２を折り返し部２４で表紙体１２に向けて折り返したときは内側）の方が山が高く盛り上がる。
【００２５】
この第３のヒンジ部７０は、抑止部６６を構成するシートにトムソン加工を施して形成されている。そして、その上面より表紙体１２の内側表面側に向けてトムソン加工により形成された薄肉状の第３のヒンジ部７０は、そのとき僅かに抑止部６６を構成するシートが左右に延びて形成されており、抑止部６６は第３のヒンジ部７０を形成する前の幅、すなわちトムソン加工を施す前の幅より伸展している。したがって、抑止部６６は、第２のヒンジ部６４を挟んで折り込み部６０の谷側に凹んでいるので、逆に折れ曲がりにくい。
そして、折り込み部６０が第１の表版１４ａおよび第２の表版１４ｂの内側面より離れる方向に向けて山型に折れ曲がっていたものが逆方向に折れ曲がることをより一層抑止する作用をする。
【００２６】
第１の折り返し片２６ａおよび第２の折り返し片２６ｂのそれぞれ左右両端縁近傍には、表紙体１２を折り畳んだときに、折り畳んだ状態を維持するための重合片８０が形成されている。
重合片８０は、第１の折り返し片２６ａの左端近傍の第１の重合片８２ａと右端近傍の第２の重合片８２ｂとが係止し、また、第２の折り返し片２６ｂの左端近傍の第３の重合片８４ａと右端近傍の第４の重合片８４ｂとが係止するように構成されている。
そして重合片８０は、面ファスナーで形成され、たとえば第１の重合片８２ａに鉤型のフック片が設けられ、第２の重合片８２ｂにはループ状の係止片が設けられてなる、一対の接離自在な面ファスナーが用いられる。また、第２の折り返し片２６ｂの左端近傍の第３の重合片８４ａおよび右端近傍の第４の重合片８４ｂも、前記第１の重合片８２ａおよび第２の重合片８２ｂと同様に構成されている。
【００２７】
さらに、表紙体１２を折り畳んだときに、第１の重合片８２ａと第２の重合片８２ｂとが、また第３の重合片８４ａと第４の重合片８４ｂとが、それぞれ重合するように、第１の拡開片３８ａの上下端近傍および第２の拡開片３８ｂの上下端近傍には、穴８６が穿設されている。
すなわち、第１の折り返し片２６ａと第２の折り返し片２６ｂとを表紙体１２の内側表面側に折り返し、且つ、第１の拡開片３８ａと第２の拡開片３８ｂとを第１の折り返し片２６ａおよび第２の折り返し片２６ｂの外表面に重合したときに、第１の重合片８２ａと第２の重合片８２ｂが第１の折り返し片２６ａに対向する位置に穴８６が穿設され、また第３の重合片８４ａと第４の重合片８４ｂとが第２の折り返し片２６ｂに対向する位置に穴８６が穿設されている。
したがって、このファイル１０を二つ折りに折り畳んだとき、第１の重合片８２ａと第２の重合片８２ｂとは、穴８６の中において係止され、また、第３の重合片８４ａと第４の重合片８４ｂとは、穴８６の中において係止されることによって、ファイル１０が二つ折り状態を維持する。そして、折り曲げ部１６を介して第１の表版１４ａと第２の表版１４ｂとの間に跨って収容された図面等の被収容物は、折り曲げ部１６の厚みによって折り曲げ線等がつかずに収容できる。
【００２８】
この発明は、前記実施の形態に限らず、たとえば三つ折れタイプのファイルにも適用することができる。
図９は、この発明の一実施の形態である、三つ折れタイプの図面用ファイルの展開した状態における平面図解図である。
図１０は、図９図示図面用ファイルの閉じた状態における平面図解図である。
図１１は、図９図示図面用ファイルを三つ折りにした状態を示す斜視図解図である。
この三つ折れタイプの図面用ファイル１１０は、三つ折りすることができる表紙体１１２を備えている。
表紙体１１２は、第１の表版１１４ａと第２の表版１１４ｂとを備え、図１図示実施の形態の図面用ファイル１０の折り曲げ部１６と同様に第１の折り曲げ部１１６ａが、第１の表版１１４ａと第２の表版１１４ｂとの間に形成されるとともに、さらに、第２の表版１１４ｂの左端縁に第２の折り曲げ部１１６ｂが形成され、第２の折り曲げ部１１６ｂは、該第１の折り曲げ部１１６ａに平行に形成されている。
【００２９】
第２の折り曲げ部１１６ｂを介して第２の表版１１４ｂの左端縁に連設された第３の表版１１４ｃは、その上端縁および下端縁に折り返し体１２２が形成されている。
折り返し体１２２は、第３の折り返し部１２４ｃと、第３の折り返し部１２４ｃを挟んで第３の表版１１４ｃの上端縁に形成された第３の折り返し片１２６ｃと、第３の表版１１４ｃの下端縁に形成された第４の折り返し片１２６ｄとを備えている。
第３の折り返し片１２６ｃと第３の表版１１４ｃとの間に形成された第３の折り返し部１２４ｃは、第３の表版１１４ｃの上端縁の折線１２８ｃと、第３の折り返し片１２６ｃに前記上端縁の折線１２８ｃと平行に形成された第３の折り返し片の折線１３０ｃとを備え、前記上端縁の折線１２８ｃと第３の折り返し片の折線１３０ｃとの間にまち片１３２ｃが形成されている。
また、第４の折り返し片１２６ｄと第３の表版１１４ｃとの間に形成された第３の折り返し部１２４ｃは、第３の表版１１４ｃの下端縁の折線１２８ｄと、前記第３の下端縁の折線１２８ｄと平行に形成された第４の折り返し片１２６ｄの折線１３０ｄとを備え、前記下端縁の折線１２８ｄと前記第４の折り返し片１２６ｄの折線１３０ｄとの間には、まち片１３２ｄが形成されている。
【００３０】
第３の表版１１４ｃの左端縁と第２の表版１１４ｂの右端縁には、開閉体１３４が形成される。
そして、第３の表版１１４ｃの左端縁に開閉体１３４を構成する第１の開閉部１３６ａを介して、開閉体１３４を構成する第１の拡開片１３８ａが延設されている。
第１の開閉部１３６ａは、第３の表版１１４ｃの左端縁の折線１４０ａと、左端縁の折線１４０ａと平行に形成された第１の拡開片の折線１４２ａとを含み、左端縁の折線１４０ａと第１の拡開片の折線１４２ａとの間にはまち片１４４ａが形成されている。
【００３１】
第１の開閉部１３６ａには、図１図示実施の形態の図面用ファイル１０と同様の突起１４６が設けられている。
すなわち、第１の突起１４６ａが、第１の拡開片１３８ａの上端縁近傍（すなわち、第３の折り返し片１２６ｃ側の近傍）に設けられ、さらに、第２の突起１４６ｂが第１の拡開片１３８ａの下端縁近傍（すなわち、第４の折り返し片１２６ｄ側の近傍）に設けられている。
一方、第２の表版１１４ｂの左端縁には、第１の折り返し片１２６ａおよび第２の折り返し片１２６ｂとそして第３の折り返し片１２６ｃおよび第４の折り返し片１２６ｄとは分離されている、開閉体１３４が形成される。そして、開閉体１３４を構成する第２の開閉部１３６ｂを介して、第２の開閉部１３６ｂを構成する第２の拡開片１３８ｂが延設されている。
【００３２】
第１の表版１１４ａと第２の表版１１４ｂの上端縁および下端縁には、折り返し部１２４を挟んで折り返し体１２２が形成されている。
図１図示実施の形態の図面用ファイル１０と同様に、折り返し部１２４は、第１の折り返し片１２６ａと第２の折り返し片１２６ｂとを備え、折り返し部１２４は、上端縁の折線１２８ａ、折り返し片の折線１３０ａおよびまち片１３２ａを備え、且つ下端縁の折線１２８ｂ、折り返し片の折線１３０ｂおよびまち片１３２ｂを備えている。第１の折り返し片１２６ａおよび第２の折り返し片１２６ｂは、折り返し体１２２を構成する第３の折り返し片１２６ｃおよび第４の折り返し片１２６ｄとは分離されている。
【００３３】
第２の表版１１４ｂの右端縁には、開閉体１３４を構成する第２の開閉部１３６ｂを介して第２の拡開片１３８ｂが延設されている。
そして、図１図示実施の形態の図面用ファイル１０と同様に、第２の開閉部１３６ｂは、右端縁の折線１４０ｂ、第２の拡開片１３８ｂの折線１４２ｂおよびまち片１４４ｂが形成されている。
【００３４】
第１の折り返し片１２６ａおよび第２の折り返し片１２６ｂには、折り込み部１６０が形成されている。折り込み部１６０は、図１図示実施の形態の図面用ファイル１０と同様に、第１のヒンジ部１６２ａと第１のヒンジ部１６２ｂが形成され、第２のヒンジ部１６４ａと第２のヒンジ部１６４ｂにはそれぞれ抑止部１６６が形成されている。
第１の折り返し片１２６ａの第２のヒンジ部１６４ａに形成された抑止部１６６も、第２の折り返し片１２６ｂの第２のヒンジ部１６４ｂに形成された抑止部１６６も、離隔部１６８ａおよび離隔部１６８ｂが形成され、離隔部１６８ａと離隔部１６８ｂの間には第３のヒンジ部１７０が形成されている。
【００３５】
第１の拡開片１３８ａの左端の上隅部および下隅部には、半球状のゴム片からなる第１の凸起１４６ａおよび第２の凸起１４６ｂが付着されている。
この第１の凸起１４６ａは、第１の拡開片１３８ａの内側表面であって第３の折り返し片１２６ｃ側の上端縁近傍に突設され、また第２の凸起１４６ｂは、第１の拡開片１３８ａの内側表面であって第４の折り返し片１２６ｄ側の下端縁近傍に突設されている。
一方、第２の拡開片１３８ｂの左端の上隅部および下隅部には、半球状のゴム片からなる第３の凸起１４８ａおよび第４の凸起１４８ｂが付着されている。
この第３の凸起１４８ａは、第２の拡開片１３８ｂの内側表面であって第１の折り返し片１２６ａ側の上端縁近傍に突設され、第４の凸起１４８ｂは、第２の拡開片１３８ｂの内側表面であって第２の折り返し片１２６ｂ側の下端縁近傍に突設されている。
【００３６】
また、第１の折り返し片１２６ａ、第２の折り返し片１２６ｂ、第３の折り返し片１２６ｃおよび第４の折り返し片１２６ｄと第１の拡開片１３８ａと第２の拡開片１３８ｂとを半開きの拡開状態にしたとき、その状態を保持して、折り曲げ部１１６ａおよび折り曲げ部１１６ｂを挟んで第１の表版１１４ａおよび第２の表版１１４ｂの内側表面に図面等を収容したり、収容された図面等を取り出したりすることが容易にできるように、前記突起１４６が第３の折り返し片１２６ｃの左端縁と第４の折り返し片１２６ｄの左端縁および第１の折り返し片１２６ａの右端縁と第２の折り返し片１２６ｂの右端縁を係止して、第１の折り返し片１２６ａと第２の折り返し片１２６ｂのいずれもが、半開きの拡開状態を保持することができるように構成されている。
すなわち、第１の折り返し片１２６ａ、第２の折り返し片１２６ｂ、第３の折り返し片１２６ｃおよび第４の折り返し片１２６ｄと第１の拡開片１３８ａおよび第２の拡開片１３８ｂとを半開き状態にしたとき、第１の拡開片１３８ａの第１の凸起１４６ａは、第３の折り返し片１２６ｃの左端縁を、第１の拡開片１３８ａの第２の凸起１４６ｂは、第４の折り返し片１２６ｄの左端縁を、第２の拡開片１３８ｂの第３の凸起１４８ａは、第１の折り返し片１２６ａの右端縁を、第２の拡開片１３８ｂの第４の凸起１４８ｂは、第２の折り返し片１２６ｂの右端縁をそれぞれ係止する。
【００３７】
そして、表紙体１１２を三つ折りに折り畳むときには、第３の折り返し片１２６ｃと第４の折り返し片１２６ｄとを表紙体１１２の内側表面（ファイルに収容される図面等が載置される面側表面）に折り返すとともに、第１の拡開片１３８ａも表紙体１１２の内側表面側に折り返し、第３の折り返し片１２６ｃおよび第４の折り返し片１２６ｄの表面に重ね合わせたとき、第１の突起１４６ａおよび第２の突起１４６ｂが対向する位置において、第３の折り返し片１２６ｃおよび第４の折り返し片１２６ｄに第１の貫通孔１５０ａおよび第２の貫通孔１５０ｂが穿設されている。
第２の拡開片１３８ｂにも第３の凸起１４８ａおよび第４の凸起１４８ｂが設けられ、第１の折り返し片１２６ａおよび第２の折り返し片１２６ｂには第３の凸起１４８ａおよび第４の凸起１４８ｂが対向する位置に第３の貫通孔１５２ａおよび第４の貫通孔１５２ｂが穿設されている。
【００３８】
したがって、表紙体１１２の内側表面側に折り返された第３の折り返し片１２６ｃおよび第４の折り返し片１２６ｄの外表面に向けて第１の拡開片１３８ａが折り返されたとき、表紙体１１２の内側表面に向けて折り返された第１の拡開片１３８ａの内側表面に設けられた第１の凸起１４６ａおよび第２の凸起１４６ｂは、第３の折り返し片１２６ｃに穿設された第１の貫通孔１５０ａおよび第４の折り返し片１２６ｄに穿設された第２の貫通孔１５０ｂの中に嵌挿される。
また、表紙体１１２の内側表面側に折り返された第１の折り返し片１２６ａおよび第２の折り返し片１２６ｂの外表面に向けて第２の拡開片１３８ｂが折り返されたとき、表紙体１１２の内側表面に向けて折り返された第２の拡開片１３８ｂの内側表面に設けられた第３の凸起１４８ａおよび第４の凸起１４８ｂは、第１の折り返し片１２６ａの第３の貫通孔１５２ａおよび第２の折り返し片１２６ｂの第４の貫通孔１５２ｂの中に嵌挿される。
したがって、第３の折り返し片１２６ｃおよび第４の折り返し片１２６ｄの貫通孔１５０ａ，１５２ａよりつき出た突起１４６ａ，１４８ａならびに第１の折り返し片１２６ａおよび第２の折り返し片１２６ｂの貫通孔１５０ｂ，１５２ｂより突き出た突起１４６ｂ，１４８ｂは、表紙体１１２の内側に収容された図面等を表紙体１１２の内側表面側に向けて押圧して、図面等の移動を抑止する。
【００３９】
また、第３の折り返し片１２６ｃおよび第４の折り返し片１２６ｄの外側表面には、重合片１８０が設けられている。
すなわち、第３の折り返し片１２６ｃの左端縁近傍に第１の重合片１８２ａが設けられ、第４の折り返し片１２６ｄの内側表面には第２の重合片１８２ｂが設けられている。
そして、第２の表版１１４ｂの外側表面において、第２の表版１１４ｂの上端縁近傍に第３の重合片１８４ａが設けられ、第３の重合片１８４ａと間隔をおいて第２の表版１１４ｂの下端縁近傍に第４の重合片１８４ｂが設けられている。
そして、表紙体１１２を三つ折りに折り畳んだとき、第１の重合片１８２ａと第３の重合片１８４ａとが、第２の重合片１８２ｂと第４の重合片１８４ｂとが重合し、それぞれが係合するように構成されている。
すなわち、第３の折り返し片１２６ｃおよび第４の折り返し片１２６ｄを表紙体１１２の内側表面に折り畳み、且つ、第１の拡開片１３８ａを第３の折り返し片１２６ｃおよび第４の折り返し片１２６ｄの外表面に重ね合わせたときに、第１の重合片１８２ａが第３の折り返し片１２６ｃの表面より露出し、且つ第２の重合片１８２ｂが第４の折り返し片１２６ｄの表面より露出するように、穴１８６が、第３の折り返し片１２６ｃの左端近傍に、また第４の折り返し片１２６ｄの左端近傍にそれぞれ穿設されている。
【００４０】
このファイル１１０を三つ折りに折り畳むときは、まず第１の折り曲げ部１１６ａにおいて、第１の表版１１４ａと第２の表版１１４ｂとを重ね合わせ、さらに、第２の表版１１４ｂの外側表面に第３の表版１１４ｃを重ね合わせることによって三つ折りに折り畳むことができる。すなわち、第２の折り曲げ部１１６ｂにおいて第３の表版１１４ｃを第２の表版１１４ｂの外側表面に重ね合わせることによって方形状のファイルとすることができる。
そのとき、第１の重合片１８２ａおよび第２の重合片１８２ｂは、第２の表版１１４ｂの外側表面に設けられた第３の重合片１８４ａと第４の重合片１８４ｂとに穴１８６を通して係合することにより、所定の方形状を保持することができる。そして、第１の折り曲げ部１１６ａおよび第２の折り曲げ部１１６ｂを介して、第３の表版１１４ｃ、第１の表版１１４ａおよび第２の表版１１４ｂとの間に跨って収容された図面等の被収容物は、折り曲げ部１１６の厚みによって折り曲げ線等がつかずに収容できる。
【００４１】
【発明の効果】
この発明によれば、折り返し片を半開きの拡開状態に保持する動作を繰り返しても、その保持手段を傷めることなく長く使用することができるファイルを得ることができる。
【図面の簡単な説明】
【図１】この発明の一実施の形態である図面用ファイルの展開した状態における平面図である。
【図２】図１図示図面用ファイルの閉じた状態における平面図解図である。
【図３】図１図示図面用ファイルの半開き状態における斜視図解図である。
【図４】図１図示図面用ファイルを二つ折りにした状態を示す斜視図解図である。
【図５】図１図示図面用ファイルの折り込み部を示す平面図解図である。
【図６】図１図示図面用ファイルの折り込み部近傍を示す斜視図解図である。
【図７】図１図示図面用ファイルの折り込み部の断面図解図である。
【図８】図１図示図面用ファイルの半開き状態を維持する方法を示す図解図である。
【図９】この発明の一実施の形態である、三つ折れタイプの図面用ファイルの展開した状態における平面図解図である。
【図１０】図９図示図面用ファイルの閉じた状態における平面図解図である。
【図１１】図９図示図面用ファイルを二つ折りにした状態を示す斜視図解図である。
【符号の説明】
１０　ファイル
１２　表紙体
１４ａ　第１の表版
１４ｂ　第２の表版
１６　折り曲げ部
１８ａ，１８ｂ　折り曲げ線
２０　離隔片
２２　折り返し体
２４　折り返し部
２６ａ　第１の折り返し片
２６ｂ　第２の折り返し片
２８ａ　上端縁の折線
３０ａ　折り返し片の折線（第１の）
３２ａ　まち片
２８ｂ　下端縁の折線
３０ｂ　折り返し片の折線（第２の）
３２ｂ　まち片
３４　開閉体
３６ａ　第１の開閉部
３６ｂ　第２の開閉部
３８ａ　第１の拡開片
３８ｂ　第２の拡開片
４０ａ　左端縁の折線
４２ａ　（第１の）拡開片の折線
４４ａ　まち片
４０ｂ　右端縁の折線
４２ｂ　（第２の）拡開片の折線
４４ｂ　まち片
４６　突起
４６ａ　第１の凸起
４６ｂ　第２の凸起
４８ａ　第３の凸起
４８ｂ　第４の凸起
５０　貫通孔
５０ａ　第１の貫通孔
５０ｂ　第２の貫通孔
５２ａ　第３の貫通孔
５２ｂ　第４の貫通孔
５４　折り曲げ用孔
５６ａ　第１の折り曲げ用孔
５６ｂ　第２の折り曲げ用孔
６０　折り込み部
６２ａ　第１のヒンジ部
６２ｂ　第１のヒンジ部
６４ａ　第２のヒンジ部
６４ｂ　第２のヒンジ部
６６　抑止部
６８ａ　離隔部
６８ｂ　離隔部
７０　第３のヒンジ部
８０　重合片
８２ａ　第１の重合片
８２ｂ　第２の重合片
８４ａ　第３の重合片
８４ｂ　第４の重合片
８６　穴
１１０　ファイル
１１２　表紙体
１１４ａ　第１の表版
１１４ｂ　第２の表版
１１４ｃ　第３の表版
１１６ａ　第１の折り曲げ部
１１６ｂ　第２の折り曲げ部
１２２　折り返し体
１２４　折り返し部
１２４ｃ　第３の折り返し部
１２６ａ　第１の折り返し片
１２６ｂ　第２の折り返し片
１２６ｃ　第３の折り返し片
１２６ｄ　第４の折り返し片
１２８ａ　上端縁の折線
１２８ｂ　下端縁の折線
１２８ｃ　上端縁の折線
１２８ｄ　下端縁の折線
１３０ａ　折り返し片の折線（第１の）
１３０ｂ　折り返し片の折線（第２の）
１３０ｃ　第３の折り返し片の折線
１３０ｄ　第４の折り返し片の折線
１３２ａ　まち片
１３２ｂ　まち片
１３２ｃ　まち片
１３２ｄ　まち片
１３４　開閉体
１３６ａ　第１の開閉部
１３６ｂ　第２の開閉部
１３８ａ　第１の拡開片
１３８ｂ　第２の拡開片
１４０ａ　左端縁の折線
１４０ｂ　右端縁の折線
１４２ａ　第１の拡開片の折線
１４２ｂ　（第２の）拡開片の折線
１４４ａ　まち片
１４４ｂ　まち片
１４６　突起
１４６ａ　第１の突起
１４６ｂ　第２の突起
１４８ａ　第３の凸起
１４８ｂ　第４の凸起
１５０ａ　第１の貫通孔
１５０ｂ　第２の貫通孔
１５２ａ　第３の貫通孔
１５２ｂ　第４の貫通孔
１６０　折り込み部
１６２ａ　第１のヒンジ部
１６２ｂ　第１のヒンジ部
１６４ａ　第２のヒンジ部
１６４ｂ　第２のヒンジ部
１６６　抑止部
１６８ａ　離隔部
１６８ｂ　離隔部
１７０　第３のヒンジ部
１８０　重合片
１８２ａ　第１の重合片
１８２ｂ　第２の重合片
１８４ａ　第３の重合片
１８４ｂ　第４の重合片
１８６　穴
【図１】
2004042290.tif 000003
【図２】
2004042290.tif 000004
【図３】
2004042290.tif 000005
【図４】
2004042290.tif 000006
【図５】
2004042290.tif 000007
【図６】
2004042290.tif 000008
【図７】
2004042290.tif 000009
【図８】
2004042290.tif 000010
【図９】
2004042290.tif 000011
【図１０】
2004042290.tif 000012
【図１１】
2004042290.tif 000013